(57)【要約】【課題】  地中に埋設された供給管の後方に取り付けた新設管は、牽引や推進が無理なく可能であり、しかも表面損傷防止用の薄くて硬質の強度を有する物質で表面を保護することが課題である。【解決手段】  牽引及び推進工法により新設管を布設するとき、新設管の表面が土中を通過しても損傷が少なくするには、土の抵抗が少ない薄い形状の金属、樹脂、化学繊維などの材質からなる硬質の強度を有する保護部材を用いて新設管表面を保護して牽引や推進を行い、保護材は新設管に設置したまま、あるいは布設後引き抜くなどの方法で撤去する、また、既設管後方に仮管を設置して新設管よりも大きな口径の仮管を一度通過させて新設管引き込み時に加わる土の抵抗を低減させる、また、既設管よりも大きな口径の新設管を牽引する目的で仮管を設置し、仮管内で太い索に接続して索を破断させずに牽引抵抗の大きな新設管の牽引を行うなど布設替えを可能にする手段。【選択図】  図２
2005054987.tif 000002
【特許請求の範囲】
【請求項１】
水道及びガス供給管等を非開削工法にて布設替えを行なう際、既設管後方に接続する新設管表面の損傷防止のため、新設管表面の保護や防護を行なって牽引を完了させ、さらに必要に応じて防護材を撤去する牽引及び推進工法。
【請求項２】
水道及びガス供給管等を非開削工法にて布設替えする際、既設管よりも口径の大きな仮管を先行して牽引し、地中の摩擦抵抗を低減して新設管の損傷を少なくする、あるいは、仮設管内で索を太くして破断力を高めて大きな口径の新設管等の牽引を可能にする仮設管先行の牽引工法。
【発明の詳細な説明】
【技術分野】
【０００１】  本発明は、地中に埋設された供給管等を非開削工法により敷設替えを行なう際に用いる新設管の表面の損傷を防止するため、表面に保護材を装着した新設管を牽引あるいは推進する工法を対象とする。
【背景技術】
【０００２】  水道管やガス管等の本管から各家庭に分岐する供給管をステンレス鋼管、ポリエチレン管等を用いて非開削にて布設替えする際、供給管の後方に新設管を接続して牽引あるいは推進により布設替えするが、新設管は地中を移動する際に表面が傷ついて品質低下を招いたり、既設管よりも大きな口径の新設管を布設替えするとき索が小さすぎて破断したりするのが問題である。
【特許文献１】特開平８−２１０５６６号公報
例えば特許文献１には、内部のホースを潰れにくいとともに、可撓性のある給水管を提供する方法として軟質樹脂製ホース外面に金属帯状部材を螺旋状に巻いた保護管からなる給水管としての方法が記載されている。【特許文献２】特願平９−１００８９５
例えば特許文献１には、給水管として湾曲可能であり、地震などの強い衝撃が発生した時にだけ伸張して衝撃を吸収する方法として金属製波状管本体外周面に軟弱樹脂シースからなりスパイラル管に関して記載がなされている。
【発明の開示】
【発明が解決しょうとする課題】
【０００３】  地中に埋設された供給管の後方に取り付けた新設管は、牽引や推進が無理なく可能であり、しかも表面が傷つかないよう薄くて硬質の強度を有する物質で表面を保護することが課題である。
【課題を解決するための手段】
【０００４】  牽引及び推進工法により新設管を布設するとき、新設管の表面が土中を通過しても損傷が少なくするには、土の抵抗が少ない薄い形状の金属、樹脂、化学繊維などの材質からなる保護部材を用いて新設管表面を保護して牽引や推進を行い、保護材は新設管に設置したまま、あるいは布設後引抜くなどの方法で撤去する、また、既設管後方に仮管を設置して新設管よりも大きな口径の仮管を一度通過させて新設管引込み時に加わる土の抵抗を低減させる、また、既設管よりも大きな口径の新設管を牽引する目的で仮管を設置し、仮管内で太い索に接続して索を破断させずに牽引抵抗の大きな新設管の牽引を行なうなど布設替えを可能にする手段。
【発明の効果】
【０００５】  上記方法にて新設管表面を保護することにより、布設した新設管は土中を通過しても損傷することがなく、また、小さな口径の既設管を牽引してより大きな口径の新設管を布設することができ、新設管布設後漏水等の恐れもないので安心して牽引あるいは推進工法を採用することができる。
【発明を実施するための最良の形態】
【０００６】  本発明は、既設管を引き抜くに先立ち、後方に接続する新設管に土中を通過しても新設管に傷影響を及ぼさない程度の強度を有する保護材を、新設管の長さに合わせて必要な分だけ装着することを最良の形態とする。【０００７】  新設管保護材は、直線とは限らない地中を通過するので可撓性を保持しなければならない。
可撓性を保持しながらも強度を有する材質としては、短い円筒形状の金属、樹脂及びゴムなどを連続して複数装着する方法、あるいは、金属、化学繊維、樹脂、及びゴムなど、布状に織り込んでパイプ形状を保たせたもの、あるいはスパイラル状に新設管表面に巻きつけた形状のもの、波状形状のもの、その他パイプ形状であって可撓性を有するものなどで新設管を保護して牽引や推進することができ、場合によっては保護材のみを引抜くことができる方法を最良の形態とする。【０００８】  地中を通過する新設管は、地中に存在する物質による摩擦抵抗を受けて損傷するのを防止する必要がある。新設管の損傷は、新設管の地中の通過断面空間を大きくすることにより減少させることができる。ゆえに、新設管布設に先立ち、新設管よりも大きな口径の仮設管を先行して地中を通過させ、新設管の通過空間を広く確保するとともに、仮設管の損傷の程度を確認して新設管に損傷防止のための必要な措置を施すことを最良の形態とする。【０００９】  地中に布設替えする新設管は、すでに存在する既設管よりも大きな口径を必要とするケースがある。また、新設管を鞘管内に布設するケースもある。小さな既設管より大きな口径の新設管等を牽引する場合、既設管内に引き込む索の寸法が制約を受けて小さくなるため、破断防止のためにより大きな索が必要である。大きな口径の新設管等を牽引する索をより太くするため、既設管と新設管等の間に仮設管を設置し、仮設管内にて索を太くする措置を施して大きな口径の新設管等の牽引を可能とする方法を最良の形態とする。
【産業上の利用可能性】
【００１０】  本発明は、布設する新設管の品質を保証して低コストにより供給管敷設替えを行なうので、鉛管等の布設替えの財政投資効果を高める効果があり、現在国が指導する水道供給管による鉛害防止の早期実現に向けて新しい低コストの非開削工法として利用される可能性は高い。
【実施例】
【００１１】  本発明の実施例を図面により説明する。
図１は供給管布設替えを示す概要図であり、１ａは鉛管引抜き用の牽引索であって索を引抜くことにより拘束部材７ａを介して索の牽引力が鉛管２ａに伝達されて鉛管２ａ後方に接続部材８ａにより接続された新設管を地中に誘導して移動させる。新設管外面は地中の土の摩擦を受けて傷つきやすい状況にある。
図２は供給管布設替えを示す概要図であり、１ａは鉛管引抜き用の牽引索であって索を引き抜くことにより拘束部材７ａを介して索の牽引力が鉛管２ａに伝達されて鉛管２ａ後方に接続する新設管３ａを地中に誘導して移動させる。新設管３ａ外面は可撓性を有する連続使用の短い円筒形状の外面保護材４ａにより覆われているので地中の土の摩擦を受けることなく傷が生じない。５ｂは保護材の断面６ｂは側面を示す。
図３は供給管布設替えを示す概要図であり、１ａは鉛管引抜き用の牽引索であって索を引き抜くことにより拘束部材７ａを介して索の牽引力が鉛管２ａに伝達されて鉛管２ａ後方に接続する新設管３ａを地中に誘導して移動させる。新設管２ａ外面は可とう性を有するスパイラル状の外面保護材５ａにより覆われているので地中の土の摩擦を受けることなく傷が生じない。５ｃは保護材の断面６ｃは側面を示す。
図４は供給管布設替えを示す概要図であり、１ａは鉛管引抜き用の牽引索であって索を引き抜くことにより拘束部材７ａを介して索の牽引力が鉛管２ａに伝達されて鉛管２ａ後方に接続する新設管３ａを地中に誘導して移動させる。新設管２ａ外面は可とう性を有する両端開放された袋状の外面保護材６ａにより覆われているので地中の土の摩擦を受けることなく傷が生じない。５ｄは保護材の断面６ｄは側面を示す。
図５は供給管布設替えを示す概要図であり、索１ａは鉛管引抜き用の牽引索であって索１ａを牽引することにより拘束部材７ａを介して索の牽引力が鉛管２ａに伝達されて鉛管２ａ後方に接続する既設管２ａよりも大きな口径の仮設管９ａを地中に誘導して移動させる。索１ａを牽引して可撓性の仮設管９ａを既設管２ａが存在した位置に移動させた後、仮設管９ａを牽引して仮設管よりも小さな口径の新設管３ａを誘導布設する。新設管３ａは仮設管９ａが通過した後の新設管断面積よりも大きな断面積の空間内を通過するので表面の損傷を受けることなく地中内を通過して布設することができる。５ｅは既設管２ａおよび仮設管９ａの断面を、６ｄは仮設管通過断面内の新設管断面を示す。
図６は供給管布設替えを示す概要図であり、索１ａは鉛管引抜き用の牽引索であって索を牽引することにより拘束部材７ａを介して索の牽引力が鉛管２ａに伝達されて鉛管２ａ後方に接続する、既設管を牽引するための索１ａよりも太い口径の索１′ａを設置した、既設管よりも大きな口径の仮設管９ａを地中に誘導して移動させる。索１ａを牽引して可撓性の仮設管９ａを既設管２ａが存在した位置に移動させた後、仮設管９ａを牽引して新設管を誘導布設する。仮設管９ａは拘束部材７′ａにより索１′ａと一体化して新設管３ａが牽引可能な状態にある。５ｆは既設管２ａおよび仮設管９ａの断面を、６ｆは仮設管と新設管の断面を示す。
【図面の簡単な説明】
【００１２】
【図１】  本発明の実施例における既設管及び新設管牽引状況を示す平面図である。
【図２】  本発明の実施例における既設管及び短い円筒状の保護材を連続して複数使用した新設管牽引状況を示す平面図である。
【図３】  本発明の実施例における既設管及びスパイラル状の保護材を使用した新設管牽引状況を示す平面図である。
【図４】  本発明の実施例における既設管及両端開放の袋状の保護材を使用した新設管牽引状況を示す平面図である。
【図５】  本発明の実施例における仮設管地中拡大による新設管布設状況を示す平面図である。
【図６】  本発明の実施例における既設管より大きな口径の新設管牽引状況を示す平面図である。
【符号の説明】
【００１３】１ａ  牽引索
１′ａ  牽引索
２ａ  既設鉛管
３ａ  新設管
４ａ  短円筒状保護材装着図
５ａ  短円筒状保護材断面図
６ａ  短円筒状保護材平面図
４ｃ  スパイラル状保護材装着図
５ｃ  スパイラル状保護材断面図
６ｃ  スパイラル状保護材平面図
４ｄ  袋状保護材装着図
５ｄ  袋状保護材断面図
６ｄ  袋状保護材平面図
７ａ  鉛管拘束部材
８ａ  接続部材
８′ａ  接続部材
６ａ  袋状保護材
９ｃ  仮設管
【図１】
2005054987.tif 000003
【図２】
2005054987.tif 000004
【図３】
2005054987.tif 000005
【図４】
2005054987.tif 000006
【図５】
2005054987.tif 000007
【図６】
2005054987.tif 000008